(57)【要約】【課題】操作性を向上させると共に、安全に針部の先端をチューブ体内に収容することができ、且つチューブ体から針部の先端が突出した状態においてもチューブ体が邪魔とならない留置針を提供する。【解決手段】先端部が屈曲した中空の針部２と、ハブ３と、針部２の先端を収容自在な可撓性のチューブ体５１とを備える留置針１において、ハブ３には前方へ延びる筒状部３２が設けられ、筒状部３２には前後方向に延びるスリット３３が設けられ、チューブ体５１は針部２を摺動自在に内挿すると共に筒状部３２内の針部２の後端側に位置し、チューブ体５１の後端には針部２を摺動自在な摺動筒５２が設けられ、摺動筒５２には、スリット３３から露出する操作レバー５４が設けられ、チューブ体５１の上側外面に複数の切込部５１ａが設けられ、操作レバー５４を前進させることによりチューブ体５１が針部２の先端部を収容する。【選択図】図１
2010000276.tif 000002
【特許請求の範囲】
【請求項１】
中間に屈曲部を有し先端部が下方に向って屈曲した中空の針部と、針部の後端に設けられたハブと、針部の先端を収容自在な可撓性のチューブ体とを備える留置針において、
ハブには前方へ延びて針部の後端部を覆う筒状部が設けられ、筒状部には前後方向に延びるスリットが設けられ、
チューブ体は、針部を摺動自在に内挿すると共に、初期状態では筒状部内であって針部の後端側に位置し、
チューブ体の後端には、筒状部内で針部の屈曲部と後端との間を摺動自在な摺動筒が設けられ、
摺動筒には、筒状部のスリットから外方へ露出する操作レバーが設けられ、
チューブ体の上側外面に前後方向に間隔を存して複数の切込部が設けられ、
操作レバーを筒状部のスリットに沿って前進させることによりチューブ体が針部の先端を収容することを特徴とする留置針。
【請求項２】
請求項１記載の留置針において、チューブ体は先端を閉塞する閉塞部を備え、チューブ体の先端部にはチューブ体の中心軸線に対して偏心させた位置に孔部が設けられ、この孔部からチューブ体の先端を湾曲させるようにして針部の先端部が露出し、操作レバーを筒状体のスリットに沿って前進させ針部の先端がチューブ体の孔部から抜け出したときに、針部の先端がチューブ体内に収容されることを特徴とする留置針。
【請求項３】
請求項１又は請求項２記載の留置針において、操作レバーを筒状体のスリットに沿って前進させ、チューブ体内に針部の先端を収容したときに、操作レバーの後退を阻止する後退阻止機構を備えることを特徴とする留置針。
【発明の詳細な説明】
【技術分野】
【０００１】
本発明は、先端部が下方に向って屈曲した中空の針部と、針部の後端に設けられたハブと、針部の先端を収容自在な可撓性のチューブ体とを備える留置針に関する。
【背景技術】
【０００２】
従来、中間に屈曲部を有し先端部が下方に向って屈曲した針部と、針部の後端に設けられたハブと、スリット状の切断部を有しハブの外方に露出する可撓性のチューブ体と、チューブ体の先端に設けられた固定部材とを備え、固定部材を把持して針部の先端まで引っ張り、チューブ体内に切断部から針部の先端部を収容する留置針が知られている（例えば、特許文献１参照）。これにより、使用済み留置針を安全に廃棄することができる。
【特許文献１】特開２００８−５５４号公報
【発明の開示】
【発明が解決しようとする課題】
【０００３】
従来の留置針では、チューブ体の先端に設けられた固定部材を把持して針部の先端まで引っ張りチューブ体内に針部を収容するため、固定部材を把持した手が針部の先端に接近し、誤って固定部材を把持した手に針部の先端が刺さる虞がある。このため、従来の留置針では、細心の注意を払いながら固定部材を引っ張る必要があり、操作性が悪いものであった。
【０００４】
又、従来の留置針は、チューブ体から針部の先端を突出させた状態においては、チューブ体がハブの外方へ露出するため、ハブを患者の体表へ固定する際にチューブ体が邪魔となる。又、チューブ体が引掛かり易く、意図せずに留置針が患者の体表から脱落する虞もある。
【０００５】
本発明は、以上の点に鑑み、操作性を向上させると共に、安全に針部の先端をチューブ体内に収容することができ、且つチューブ体から針部の先端が突出した状態においてもチューブ体が邪魔とならない留置針を提供することを目的とする。
【課題を解決するための手段】
【０００６】
上記目的を達成するため、本発明は、中間に屈曲部を有し先端部が下方に向って屈曲した中空の針部と、針部の後端に設けられたハブと、針部の先端を収容自在な可撓性のチューブ体とを備える留置針において、ハブには前方へ延びて針部の後端部を覆う筒状部が設けられ、筒状部には前後方向に延びるスリットが設けられ、チューブ体は、針部を摺動自在に内挿すると共に、初期状態では筒状部内であって針部の後端側に位置し、チューブ体の後端には、筒状部内で針部の屈曲部と後端との間を摺動自在な摺動筒が設けられ、摺動筒には、筒状部のスリットから外方へ露出する操作レバーが設けられ、チューブ体の上側外面に前後方向に間隔を存して複数の切込部が設けられ、操作レバーを筒状部のスリットに沿って前進させることによりチューブ体が針部の先端を収容することを特徴とする。
【０００７】
本発明によれば、ハブから露出する操作レバーを前方へ押すことによりチューブ体が前方へスライドし針部の先端を収容することができる。このため、操作レバーを押す手が針部の先端に接近することがなく、従来のものと比較してより安全に針部をチューブ体で収容し廃棄することができる。又、初期状態においては、チューブ体はハブの筒状部内に位置するため、本発明の留置針を患者に留置した際に、チューブ体が邪魔とならない。
【０００８】
ここで、チューブ体を前方へスライドさせる際に、チューブ体が針部の屈曲部で引掛かり前進できなくなることも考えられるが、本発明では、チューブ体の上側外面に前後方向に間隔を存して複数の切込部を設け、チューブ体が屈曲部で切込部を開くようにして容易に曲がることができる。従って、本発明のチューブ体は針部の屈曲部に引掛かることなくスムーズに前進することができる。
【０００９】
又、本発明においては、チューブ体は先端を閉塞する閉塞部を備え、チューブ体の先端部にはチューブ体の中心軸線に対して偏心させた位置に孔部が設けられ、この孔部からチューブ体の先端を湾曲させるようにして針部の先端部が露出し、操作レバーを筒状体のスリットに沿って前進させ針部の先端がチューブ体の孔部から抜け出したときに、針部の先端がチューブ体内に収容されるように構成することが好ましい。
【００１０】
かかる構成によれば、チューブ体の孔部から針部の先端が露出するため、チューブ体の先端は湾曲した状態となる。そして、操作レバーを前進させて針部の先端がチューブ体内に収容され、針部の先端がチューブ体の孔部から抜け出すと、チューブ体は自己の弾性力により湾曲した状態が解除される。これにより、針部の先端とチューブ体の孔部との位置がずれ、再び針部の先端が孔部から突出することを防止することができる。
【００１１】
又、本発明においては、操作レバーを筒状体のスリットに沿って前進させ、チューブ体内に針部の先端を収容したときに、操作レバーの後退を阻止する後退阻止機構を設ければ、針部の先端がチューブ体から再び突出することをより確実に防止することができる。
【発明を実施するための最良の形態】
【００１２】
図１〜図３を参照して本発明の留置針の実施形態を説明する。実施形態の留置針は、いわゆるヒューバー針であり、例えば、皮下埋込型カテーテルのアクセスポートに穿刺するものである。図１に示すように、実施形態の留置針１は中空の針部２と針部２の後端に設けられたハブ３とを備える。ハブ３の後端には輸液チューブ４が接続され、輸液チューブ４から供給される栄養剤等がハブ３、針部２を介して患者に供給される。
【００１３】
針部２は、中間に屈曲部２ａを有し、先端部が下方に向って約９０度に屈曲している。針部２の先端には刃部２ｂが設けられている。ハブ３は、針部２の後端に接続し針部２を支持するハブ本体３１と、ハブ本体３１の前端から針部２側に向ってのびる筒状部３２とで構成される。筒状部３２の周面には、側方に位置させて前後方向に延びるスリット３３が形成されている。
【００１４】
筒状部３２内には、針部２を内挿する可撓性のチューブ体５１が配置されている。チューブ体５１の後端には摺動筒５２が連結されている。摺動筒５２には筒状部３２のスリット３３から接続部５３を介して筒状部３２の外方へ露出する操作レバー５４が設けられている。
【００１５】
スリット３３には、後端側に位置する第１幅狭部３３ａと、前端側に位置する第２幅狭部３３ｂとが形成され、両幅狭部３３ａ，３３ｂは接続部５３の幅よりも狭く設定されている。第１幅狭部３３ａの前端側及び後端側は傾斜しており、第１幅狭部３３ａは、操作レバー５４を解除自在にスリット３３の後端位置（初期状態の位置）に留めるように接続部５３の前側面と係合する。
【００１６】
これにより、意図せずに操作レバー５４を前進させてしまうことを抑制させることができる。又、誤って操作レバー５４を前進させてしまい、接続部５３の前側面と第１幅狭部３３ａとの係合が解除された場合であっても、接続部５３の後側面で第１幅狭部３３ａを押し広げるようにして、操作レバー５４をスリット３３の後端位置に後退させることができる。
【００１７】
又、第２幅狭部３３ｂの後端側は傾斜しており、操作レバー５４の前進を接続部５３が第２幅狭部３３ｂを押し広げるようにして許容する。第２幅狭部３３ｂの前端側は、段部となっており、一端操作レバー５４がスリット３３の前端位置まで前進した後は、第２幅狭部３３ｂの前端側の段部が接続部５３の後側面を係止し、操作レバー５４の後退を阻止する。即ち、実施形態の第２幅狭部３３ｂの前端側の段部が本発明の後退阻止機構に相当する。
【００１８】
チューブ体５１の上側外面には前後方向に間隔を存して半円状で内周面まで切り込まれた切込部５１ａが複数形成されている。チューブ体５１の先端は熱圧着により形成された閉塞部５１ｂで閉塞されている。又、チューブ体５１の先端部周壁には孔部５１ｃが設けられている。即ち、孔部５１ｃはチューブ体５１の中心軸線に対して偏心している。孔部５１ｃにはチューブ体５１の先端部を上方へ押し曲げるようにして針部２が挿通され針部２の先端部がチューブ体５１の外方に露出している。針部２の先端部には筒状のカバー６が設けられ刃部２ｂを覆っている。
【００１９】
実施形態の留置針１を使用する際には、カバー６を取り外し、針部２の先端を、例えば、皮下埋込型カテーテルのアクセスポートに穿刺して留置する。使用済みの留置針１を廃棄する際には、操作レバー５４をスリット３３に沿って前進させる。操作レバー５４を前進させると、接続部５３、摺動筒５２を介してチューブ体５１も前進する。このとき、チューブ体５１は、図２に示すように、屈曲部２ａで切欠部５１ａを開くようにして容易に曲がることができる。従って、チューブ体５１は、針部２の屈曲部２ａに引掛かることなく針部２に沿って容易にスライドさせることができる。
【００２０】
操作レバー５４をスリット３３の前端位置まで前進させると、第２幅狭部３３ｂを乗り越えた接続部５３の後側面は第２幅狭部３３ｂの前側面の段部に係止され、操作レバー５４の後退が解除不能に阻止される。このとき、図３に示すように、針部２の先端はチューブ体５１の孔部５１ｃから抜け出し、チューブ体５１の先端部の湾曲した状態が自己の弾性力により解除され、針部２の先端部がチューブ体５１内に収容される。孔部５１ｃはチューブ体５１の中心軸線に対し偏心されているため、針部２の刃部２ｂが再び孔部５１ｃからチューブ体５１の外方に突出することはない。
【００２１】
このように、ハブ３側の操作で容易に針部２をチューブ体５１で覆うことができ、従来品と比較してより安全に留置針を廃棄することができる。又、初期状態においては、チューブ体５１はハブ３の筒状部３２内に位置するため、留置針１を患者に留置した際に、チューブ体５１が邪魔とならない。又、閉塞部５１ｂを肉厚にすることにより針部２の先端が閉塞部５１ｂを突き抜けて露出することを防止できる。
【００２２】
尚、実施形態においては、切込部５１ａがチューブ体５１の内周面にまで達しているものを図示したが、チューブ体５１が屈曲部２ａに引掛かることなくスムーズにスライドできれば、切込部５１ａはチューブ体５１の内周面にまで達する必要はない。
【図面の簡単な説明】
【００２３】
【図１】本発明の留置針の実施形態を示す説明図。
【図２】実施形態の留置針の操作レバーを前進させた状態を示す説明図。
【図３】実施形態の留置針のチューブ体内に針部の先端部を収容した状態を示す説明図。
【符号の説明】
【００２４】
１…留置針、  ２…針部、  ２ａ…屈曲部、  ２ｂ…刃部、  ３…ハブ、  ３１…ハブ本体、  ３２…筒状部、  ３３…スリット、  ３３ａ…第１幅狭部、  ３３ｂ…第２幅狭部、  ４…輸液チューブ、  ５１…チューブ体、  ５１ａ…切込部、  ５１ｂ…閉塞部、  ５１ｃ…孔部、  ５２…摺動筒、  ５３…接続部、  ５４…操作レバー、  ６…カバー。
【図１】
2010000276.tif 000003
【図２】
2010000276.tif 000004
【図３】
2010000276.tif 000005